(57)【要約】【課題】光出力の設定を容易に行うことができる照明装置を提供する。【解決手段】リードスイッチ５１は、マグネットの磁力で接点はオン状態となり、マグネットを遠ざけることにより、接点はオフ状態となる。磁気検出回路５７は、リードスイッチ５１の接点がオン状態の場合に、ハイレベルの信号をマイクロコンピュータ５４へ出力し、リードスイッチ５１の接点がオフ状態の場合に、ローレベルの信号をマイクロコンピュータ５４へ出力する。マイクロコンピュータ５４は、磁気検出回路５７で感知した感知結果に基づいて、ＬＥＤモジュール１０のＬＥＤ電流値、すなわち光出力を切り替えるべく出力回路７０を制御する。【選択図】図６
2014123470.tif 000002
【特許請求の範囲】
【請求項１】
光源と、該光源に電力を供給する電源部とを備える照明装置において、
磁性体を感知する感知部と、
該感知部で感知した感知結果に基づいて、前記光源の光出力を切り替えるべく前記電源部を制御する制御部と
を備えることを特徴とする照明装置。
【請求項２】
前記制御部は、
前記感知部で磁性体を感知する都度、複数の異なる光出力に順番に切り替えるべく制御するようにしてあることを特徴とする請求項１に記載の照明装置。
【請求項３】
前記光源の光出力が切り替えられたことを報知する報知部を備えることを特徴とする請求項１又は請求項２に記載の照明装置。
【請求項４】
前記報知部は、
切替後の光出力が所定の光出力と該所定の光出力を除く他の光出力とで報知手段が異なるようにしてあることを特徴とする請求項３に記載の照明装置。
【請求項５】
前記制御部を起動した時点からの経過時間を計時する計時部を備え、
前記制御部は、
該計時部で計時した経過時間が所定時間内である場合のみ、前記感知結果に基づいて前記光源の光出力を切り替える制御を行うようにしてあることを特徴とする請求項１から請求項４までのいずれか１項に記載の照明装置。
【発明の詳細な説明】
【技術分野】
【０００１】
本発明は、光源と、光源に電力を供給する電源部とを備える照明装置に関する。
【背景技術】
【０００２】
ＬＥＤは長寿命であり、また近年では、高輝度タイプのものも実用化されている。このため、白熱電球又は蛍光灯等の光源に加え、ナトリウムランプ又は水銀ランプ等の高輝度光源をＬＥＤに置き換えた照明装置が開発されている。
【０００３】
例えば、複数のＬＥＤパッケージを光源ケースに収め、ＬＥＤ用電源ユニットを電源ケースに収め、光源ケースと電源ケースとを結合して一体の照明器具本体を構成し、照明器具本体を角度可変に構造物取付用の支持脚に支持したＬＥＤ照明器具としての投光器が開示されている（特許文献１参照）。
【先行技術文献】
【特許文献】
【０００４】
【特許文献１】特開２０１０−１９８９５２号公報
【発明の概要】
【発明が解決しようとする課題】
【０００５】
特許文献１の照明器具は、建物の壁面、支柱などの構造物に支持脚を固定して設置される。設置場所が屋外であるか、屋内であるかに限らず、設置場所によっては、照明器具に要求される明るさは異なる場合が多い。このため、従来は、ＬＥＤの数又は明るさなどの仕様が異なる複数種類の照明器具を予め用意しておき、設置場所の要求に応じて所要の明るさを出力することができる照明器具を選択していた。
【０００６】
一方で、設置場所に要求される明るさに応じて、照明器具の光出力の設定値を切り替えることができるようにスイッチ等を設けることが考えられる。しかし、照明器具の外部から容易にアクセスできる箇所にスイッチ等を設けた場合、何者かにスイッチを操作され、誤った設定値にセットされるおそれがある。また、特に照明器具を屋外で使用する場合には、雨や露を防ぐべく防水機能を追加しなければならず、製造コストが高くなるという問題がある。
【０００７】
本発明は斯かる事情に鑑みてなされたものであり、光出力の設定を容易に行うことができる照明装置を提供することを目的とする。
【課題を解決するための手段】
【０００８】
本発明に係る照明装置は、光源と、該光源に電力を供給する電源部とを備える照明装置において、磁性体を感知する感知部と、該感知部で感知した感知結果に基づいて、前記光源の光出力を切り替えるべく前記電源部を制御する制御部とを備えることを特徴とする。
【０００９】
本発明に係る照明装置は、前記制御部は、前記感知部で磁性体を感知する都度、複数の異なる光出力に順番に切り替えるべく制御するようにしてあることを特徴とする。
【００１０】
本発明に係る照明装置は、前記光源の光出力が切り替えられたことを報知する報知部を備えることを特徴とする。
【００１１】
本発明に係る照明装置は、前記報知部は、切替後の光出力が所定の光出力と該所定の光出力を除く他の光出力とで報知手段が異なるようにしてあることを特徴とする。
【００１２】
本発明に係る照明装置は、前記制御部を起動した時点からの経過時間を計時する計時部を備え、前記制御部は、該計時部で計時した経過時間が所定時間内である場合のみ、前記感知結果に基づいて前記光源の光出力を切り替える制御を行うようにしてあることを特徴とする。
【発明の効果】
【００１３】
本発明によれば、光出力の設定を容易に行うことができる。
【図面の簡単な説明】
【００１４】
【図１】本実施の形態の照明装置の構成の一例を示す正面図である。
【図２】本実施の形態の照明装置の構成の一例を示す側面図である。
【図３】本実施の形態の照明装置の構成の一例を示す背面図である。
【図４】本実施の形態の照明装置の構成の一例を示す底面図である。
【図５】図１のＶ−Ｖ線から見た断面図である。
【図６】本実施の形態の電源部の回路構成の一例を示すブロック図である。
【図７】本実施の形態の照明装置の起動時のＬＥＤ電流値のリセット処理の手順を示すフローチャートである。
【図８】本実施の形態の照明装置の光出力切替モードへの移行処理の手順を示すフローチャートである。
【図９】本実施の形態の照明装置の光出力の切替処理の手順を示すフローチャートである。
【図１０】本実施の形態の照明装置の光出力の切替処理の手順を示すフローチャートである。
【図１１】本実施の形態の照明装置の光出力切替モードの一例を示すタイムチャートである。
【図１２】本実施の形態の照明装置の工程モードへの移行処理の手順を示すフローチャートである。
【図１３】本実施の形態の照明装置のＬＥＤ電流値の確認処理の手順を示すフローチャートである。
【図１４】本実施の形態の照明装置のＬＥＤ電流値の確認処理の手順を示すフローチャートである。
【図１５】本実施の形態の照明装置のＬＥＤ電流値の確認処理の一例を示すタイムチャートである。
【図１６】本実施の形態の照明装置の補正値の設定処理の手順を示すフローチャートである。
【図１７】本実施の形態の照明装置の補正値の設定処理の手順を示すフローチャートである。
【図１８】本実施の形態の照明装置の補正値の設定処理の一例を示すタイムチャートである。
【発明を実施するための形態】
【００１５】
以下、本発明をその実施の形態を示す図面に基づいて説明する。図１は本実施の形態の照明装置１００の構成の一例を示す正面図であり、図２は本実施の形態の照明装置１００の構成の一例を示す側面図であり、図３は本実施の形態の照明装置１００の構成の一例を示す背面図であり、図４は本実施の形態の照明装置１００の構成の一例を示す底面図であり、図５は図１のＶ−Ｖ線から見た断面図である。
【００１６】
本実施の形態の照明装置１００は、光源部３０、電源部５０、光源部３０及び電源部５０を壁面又は支柱等に取り付けるための取付アングル１などを備える。取付アングル１は、例えば、アルミダイカスト等の高熱伝導性を有する材料により形成されている。
【００１７】
照明装置１００は、正面視がそれぞれ略矩形状をなす光源部３０及び電源部５０を縦方向に並べて配置してある。光源部３０及び電源部５０は一体的に固定され、取付アングル１の挿通孔（不図示）に挿通されるボルト６を回転軸として所望の角度に調整することができる。
【００１８】
光源部３０は、ＬＥＤモジュール１０、ＬＥＤモジュール１０から発せられる光を所要の配光特性で拡散させるためのレンズ１１、ＬＥＤモジュール１０を実装するＬＥＤ基板１２、ＬＥＤモジュール１０の熱を外部へ放射するためのヒートシンク１３、一面が略矩形状に開口した箱状であってＬＥＤ基板１２及びヒートシンク１３を固定する光源ケース３１などを備える。光源ケース３１は、例えば、アルミダイカスト等の高熱伝導性を有する材料により形成されている。
【００１９】
光源ケース３１の開口には、ＬＥＤモジュール１０からの光を透光する透光カバー３、透光カバー３を光源ケース３１に固定するための枠部４を取り付けてある。これにより、照明装置１００は、透光カバー３全体から光を外部へ照射することができる。
【００２０】
ＬＥＤモジュール１０は、複数のＬＥＤチップで構成され、各ＬＥＤチップを並列又は直列に接続したものである。ＬＥＤモジュール１０は、例えば、高圧ナトリウムランプ又は水銀灯などの光源の代替として使用することができ、比較的高輝度のものであるが、これに限定されるものではない。発光色や輝度は所要のものを使用することができる。
【００２１】
電源部５０は、一面が略矩形状に開口した箱状の電源ケース５８に収容してある。電源ケース５８は、例えば、アルミダイカスト等の高熱伝導性を有する材料により形成されている。電源ケース５８内の所要の位置には、感知部としてのリードスイッチ５１を設けてある。リードスイッチ５１の詳細は後述する。
【００２２】
電源ケース５８の開口には、電源カバー２を取り付けてある。電源カバー２を取り付けることにより、外部から電源部５０、リードスイッチ５１等を目視することができず、また直接接触することはできない。
【００２３】
光源ケース３１及び電源ケース５８には、筐体５を固定してある。筐体５は、例えば、アルミダイカスト等の高熱伝導性を有する材料により形成されている。筐体５は、縦方向に複数の溝を設けた放熱フィンとして機能する。なお、光源ケース３１及び電源ケース５８は、一体成形したものでもよく、別個に成形したものを相互に固定してもよい。
【００２４】
図６は本実施の形態の電源部５０の回路構成の一例を示すブロック図である。電源部５０は、商用電源２００からの交流電圧を受電し、光源としてのＬＥＤモジュール１０に所要の電力（直流電流、直流電圧など）を供給する。電源部５０は、商用電源２００（交流電源）から印加される交流電圧を整流する整流回路５２、整流回路５２の出力側に設けられた力率改善回路（ＰＦＣ：Power Factor Correction）６０、力率改善回路６０の出力側に設けられ、ＬＥＤモジュール１に電力を供給する出力回路７０、交流電圧の半周期をカウントし、ＡＣゼロクロス時を判定するゼロクロス検出信号生成回路５３、マイクロコンピュータ５４、及びリードスイッチ５１を有する磁気検出回路５７などを備える。
【００２５】
力率改善回路６０は、例えば、昇圧型の力率改善回路であり、キャパシタ６１、ＦＥＴ６４、ダイオード６５、抵抗６２、６３などを備える。
【００２６】
抵抗６２、６３で分圧された電圧は、マイクロコンピュータ５４の端子Ｍ３にＡＣ電圧検出信号として入力される。ＦＥＴ６４のオン／オフは、マイクロコンピュータ５４の端子Ｍ１から出力されるスイッチング出力信号により制御される。力率改善回路６０は、ＦＥＴ６４を高い周波数でスイッチング動作させて、入力電流波形を入力電圧波形（交流電圧波形）と同様の正弦波状に制御することにより、商用電源２００に対する力率を改善する。
【００２７】
出力回路７０は、変圧器７１、ＦＥＴ７２、ダイオード７４、抵抗７３、７６、７７、７８、７９、平滑コンデンサ７５、キャパシタ８０などを備える。出力回路７０は、力率改善回路６０の出力側の電圧を、ＬＥＤモジュール１０に対して出力する電圧に変換（降圧）する。
【００２８】
変圧器７１のコイル７１ａに直列にダイオード７４のアノードを接続してあり、コイル７１ａとダイオード７４との接続ノードに、ＦＥＴ７２及び抵抗７３の直列回路を接続してある。ダイオード７４の出力側（カソード）には、平滑コンデンサ７５及び抵抗７６と抵抗７７との直列回路をそれぞれ接続してある。
【００２９】
ＬＥＤモジュール１０と直列に抵抗７８を接続してあり、ＬＥＤモジュール１０と抵抗７８との接続ノードに抵抗７９とキャパシタ８０との直列回路を接続してある。
【００３０】
マイクロコンピュータ５４の端子Ｍ１（スイッチング出力）は、ＦＥＴ６４、７２それぞれのゲートに接続してある。マイクロコンピュータ５４の端子Ｍ２（ゼロ電流検出）は、変圧器７１のコイル７１ｂの一端に接続してある。マイクロコンピュータ５４の端子Ｍ４（ＡＣゼロクロス検出）は、ゼロクロス検出信号生成回路５３に接続してある。
【００３１】
マイクロコンピュータ５４の端子Ｍ５（過電流検出）は、ＦＥＴ７２と抵抗７３との接続ノードに接続してある。マイクロコンピュータ５４の端子Ｍ６（ＬＥＤ電流検出）は、抵抗７９とキャパシタ８０との接続ノードに接続してある。マイクロコンピュータ５４の端子Ｍ７（ＬＥＤ電圧検出）は、抵抗７６と抵抗７７との接続ノードに接続してある。マイクロコンピュータ５４の端子Ｍ８（感知結果）は、リードスイッチ５１に接続してある。
【００３２】
また、マイクロコンピュータ５４の端子Ｍ９、Ｍ１０には、それぞれ第１スイッチ５５、第２スイッチ５６を接続してある。なお、第１スイッチ５５及び第２スイッチ５６は、製造工程において接続されるものであり、製品出荷時には取り外される。
【００３３】
マイクロコンピュータ５４は、制御部、報知部、計時部及び無効部としての機能を有する。また、マイクロコンピュータ５４は、メモリ（不図示）を具備し、後述の調光値（例えば、１００％、８０％、７０％など）、補正値（例えば、−５％、０％、＋５％など）を記憶することができる。
【００３４】
マイクロコンピュータ５４は、端子Ｍ１からスイッチング出力信号をＦＥＴ７２のゲートへ出力することにより、ＦＥＴ７２のオン／オフ状態（例えば、オン期間のデューティ比）を調整して、ＬＥＤモジュール１０に流れるＬＥＤ電流値を所要の値（例えば、７０％〜１００％など）に設定することができる。
【００３５】
リードスイッチ５１は、磁性体を感知する感知部としての機能を有する。リードスイッチ５１は、例えば、２本の強磁性体リードそれぞれの接点同士を適長離隔した状態で配置し、この２本のリードをガラス管の中に封入してある。ガラス管の中には、接点の活性化を防止するため、窒素ガスを封入してある。
【００３６】
リードスイッチ５１は、前述の電源ケース５８内に収められ、マグネット（磁石）を電源カバー２の表面に近づけることにより、マグネットの磁力でリードスイッチ５１の接点は閉状態（オン状態）となる。また、マグネットを電源カバー２の表面から遠ざけることにより、リードスイッチ５１の接点は開状態（オフ状態）となる。すなわち、リードスイッチ５１の感知範囲内にマグネットが位置するとリードスイッチ５１の接点はオンし、リードスイッチ５１の感知範囲外にマグネットが位置するとリードスイッチ５１の接点はオフする。
【００３７】
磁気検出回路５７は、リードスイッチ５１の接点がオン状態の場合に、例えば、ハイレベルの信号をマイクロコンピュータ５４へ出力し、リードスイッチ５１の接点がオフ状態の場合に、例えば、ローレベルの信号をマイクロコンピュータ５４へ出力する。なお、磁気検出回路５７の出力信号は、リードスイッチ５１の接点のオン又はオフが区別できるものであれば、どのような信号を用いてもよい。
【００３８】
なお、マグネット（磁石）に代えて、鉄又はニッケルなどの材質を有する磁性体（例えば、強磁性体）の治具を用いることもできる。また、リードスイッチ５１に代えて、磁性体又は磁場などを感知することができるものであれば、磁気抵抗素子など他のもので代用することもできる。
【００３９】
次に、本実施の形態の照明装置１００の動作について説明する。以下に説明する動作は、例えば、照明装置１００を所定の設置場所に設置した後で、設置場所で要求される明るさに応じてＬＥＤモジュール１０に流れるＬＥＤ電流を設定して、ＬＥＤモジュール１０の光出力を切り替える際の動作である。以下では、照明装置１００の起動時のＬＥＤ電流値のリセット処理、光出力切替モードへの移行処理、光出力の切替処理の順序で説明する。
【００４０】
図７は本実施の形態の照明装置１００の起動時のＬＥＤ電流値のリセット処理の手順を示すフローチャートである。本実施の形態において、起動とは、照明装置１００に対して商用電源２００から交流電圧を印加した時点をいい、例えば、照明装置１００の点灯・消灯を制御する電源操作盤又はスイッチボックス（不図示）等の電源入切スイッチをオンした時点である。起動時には、マイクロコンピュータ５４は、内蔵の各レジスタ、ポートなどの初期化を行う。マイクロコンピュータ５４は、データフラッシュなどの不揮発性のメモリに記憶した調光値及び補正値を読み出す（Ｓ１１）。
【００４１】
調光値は、ＬＥＤモジュール１０の光出力、すなわち照明装置１００の点灯時の明るさを設置場所の要望に応じて設定するためのものであり、例えば、１００％、８０％、７０％などの値であるが、これらの値に限定されるものではない。なお、メモリには、直近に使用していた一の調光値が記憶されている。
【００４２】
補正値は、後述の工程モード（製品出荷前の製造工程）において設定される値である。補正値は、例えば、−５％、０％、＋５％などの値であるが、これらの値に限定されるものではない。なお、メモリには、製造工程で設定された一の補正値が記憶されている。
【００４３】
マイクロコンピュータ５４は、ＬＥＤ電流値を設定する（Ｓ１２）。ＬＥＤ電流値は、調光値×（１００＋補正値）／１００で求めることができる。例えば、調光値が１００％、補正値が０％である場合、ＬＥＤ電流値は１００％となる。また、調光値が８０％、補正値が＋５％である場合、ＬＥＤ電流値は８４％となる。
【００４４】
マイクロコンピュータ５４は、感知オンであるか否かを判定する（Ｓ１３）。感知オンであるか否かの判定は、マグネット（磁石）又は磁性体がリードスイッチ５１に近づけられたか否かを判定するものである。感知オンである場合（Ｓ１３でＹＥＳ）、マイクロコンピュータ５４は、感知オフとなったか否かを判定する（Ｓ１４）。すなわち、マグネット（磁石）又は磁性体がリードスイッチ５１に近づけられた後に、リードスイッチ５１から遠ざけられたかを判定する。
【００４５】
感知オフでない場合（Ｓ１４でＮＯ）、マイクロコンピュータ５４は、ステップＳ１４の処理を続け、何も処理を行わない。感知オフとなった場合（Ｓ１４でＹＥＳ）、すなわち、マグネット（磁石）又は磁性体がリードスイッチ５１に近づけられた後に、リードスイッチ５１から遠ざける操作が行われ場合、マイクロコンピュータ５４は、メモリに調光値１００％を記憶し（上書きし）（Ｓ１５）、メモリに書込み値ありを示すフラグをセットする。
【００４６】
マイクロコンピュータ５４は、調光値１００％を用いてＬＥＤ電流値を設定し（Ｓ１６）、設定したＬＥＤ電流値でＬＥＤモジュール１０を点灯し（Ｓ１７）、各種割込み処理を許可するとともに、後述の各種処理へ移行すべくリセット処理を終了する。ステップＳ１３で感知オンでない場合（Ｓ１３でＮＯ）、調光値を１００％にするリセット処理を行うことなく処理を終了する。
【００４７】
リセット処理を設けることにより、照明装置１００の直近に使用していた一の調光値が解らない場合（例えば、既設の照明装置を一旦取り外し、別の設置場所へ移し替える場合など）に、一旦調光値１００％にリセットすることにより、照明装置１００の調光値を判別することが可能となる。
【００４８】
図８は本実施の形態の照明装置１００の光出力切替モードへの移行処理の手順を示すフローチャートである。光出力切替モードへの移行処理は、照明装置１００の点灯時の明るさを設置場所の要望に応じて設定すべく、照明装置１００の動作モードを、調光値を切り替えることができる状態にするための処理である。
【００４９】
マイクロコンピュータ５４は、起動した時点からの経過時間を計時し、起動から６０分以内であるか否かを判定する（Ｓ２１）。なお、本実施の形態では、所定時間の一例として、６０分を用いているが、所定時間は他の時間であってもよい。起動から６０分以内である場合（Ｓ２１でＹＥＳ）、マイクロコンピュータ５４は、感知オンであるか否かを判定する（Ｓ２２）。すなわち、起動から６０分以内にマグネット又は磁性体をリードスイッチ５１に近づける操作が行われたか否かを判定する。
【００５０】
感知オンである場合（Ｓ２２でＹＥＳ）、マイクロコンピュータ５４は、感知オンの状態が４秒（時間Ｔ１）以上であるか否かを判定する（Ｓ２３）。すなわち、マグネット又は磁性体をリードスイッチ５１に近づけた状態が４秒以上であるか否かを判定する。
【００５１】
感知オンの状態が４秒以上である場合（Ｓ２３でＹＥＳ）、マイクロコンピュータ５４は、後述の光出力切替モードに移行し（Ｓ２４）、処理を終了する。ステップＳ２２で感知オンでない場合（Ｓ２２でＮＯ）、又はステップＳ２３で感知オンの状態が４秒以上でない場合（Ｓ２３でＮＯ）、マイクロコンピュータ５４は、ステップＳ２１以降の処理を続ける。また、ステップＳ２１で起動から６０分以内でない場合（Ｓ２１でＮＯ）、マイクロコンピュータ５４は、光出力切替モードに移行することなく処理を終了する。
【００５２】
上述のように、起動から６０分間のみ光出力切替モードに移行することを可能とすることにより、照明装置１００を設置した後に電源投入を行い、照明装置１００の明るさを調整するのに必要な時間を確保することができる。また、起動から６０分を経過した場合には、光出力切替モードに移行しないので、照明装置を設置した後の使用中においては、何者かが照明装置１００の明るさを変更することができず、いたずら等を防止することができる。
【００５３】
感知オンの状態を判定する時間Ｔ１は、４秒に限定されるものではなく、他の時間とすることができる。感知オンの状態を時間Ｔ１以上継続させることにより、極めて短時間の感知オンの状態を除外して、誤って光出力切替モードに移行する事態を防止することができる。
【００５４】
図９及び図１０は本実施の形態の照明装置１００の光出力の切替処理の手順を示すフローチャートである。図９及び図１０に例示する処理は、光出力切替モードにおける処理である。マイクロコンピュータ５４は、メモリに記憶した調光値が１００％であるか否かを判定し（Ｓ３１）、調光値が１００％である場合（Ｓ３１でＹＥＳ）、ＬＥＤモジュール１０を１秒間（時間Ｔ３）消灯し（Ｓ３２）、調光値８０％をメモリに記憶し（Ｓ３３）、メモリに書込みありのフラグをセットする。
【００５５】
マイクロコンピュータ５４は、ＬＥＤ電流値（８０％×補正値）を設定し（Ｓ３４）、設定した調光値に切り替える（Ｓ３５）。これにより、ＬＥＤモジュール１０には、８０％×補正値で示されるＬＥＤ電流値が流れる。
【００５６】
調光値が１００％でない場合（Ｓ３１でＮＯ）、マイクロコンピュータ５４は、メモリに記憶した調光値が８０％であるか否かを判定し（Ｓ３６）、調光値が８０％である場合（Ｓ３６でＹＥＳ）、ＬＥＤモジュール１０を１秒間（時間Ｔ３）消灯し（Ｓ３７）、調光値７０％をメモリに記憶し（Ｓ３８）、メモリに書込みありのフラグをセットする。
【００５７】
マイクロコンピュータ５４は、ＬＥＤ電流値（７０％×補正値）を設定し（Ｓ３９）、ステップＳ３５の処理を行い、設定した調光値に切り替える。これにより、ＬＥＤモジュール１０には、７０％×補正値で示されるＬＥＤ電流値が流れる。
【００５８】
調光値が８０％でない場合（Ｓ３６でＮＯ）、マイクロコンピュータ５４は、メモリに記憶した調光値が７０％であるか否かを判定し（Ｓ４０）、調光値が７０％である場合（Ｓ４０でＹＥＳ）、ＬＥＤモジュール１０を２秒間（時間Ｔ４）点滅し（Ｓ４１）、調光値１００％をメモリに記憶し（Ｓ４２）、メモリに書込みありのフラグをセットする。
【００５９】
マイクロコンピュータ５４は、ＬＥＤ電流値（１００％×補正値）を設定し（Ｓ４３）、ステップＳ３５の処理を行い、設定した調光値に切り替える。これにより、ＬＥＤモジュール１０には、１００％×補正値で示されるＬＥＤ電流値が流れる。
【００６０】
調光値が７０％でない場合（Ｓ４０でＮＯ）、マイクロコンピュータ５４は、ＬＥＤモジュール１０を１秒間（時間Ｔ３）消灯し（Ｓ４４）、調光値１００％をメモリに記憶し（Ｓ４５）、メモリに書込みありのフラグをセットする。
【００６１】
マイクロコンピュータ５４は、ＬＥＤ電流値（１００％×補正値）を設定し（Ｓ４６）、ステップＳ３５の処理を行い、設定した調光値に切り替える。これにより、ＬＥＤモジュール１０には、１００％×補正値で示されるＬＥＤ電流値が流れる。
【００６２】
マイクロコンピュータ５４は、起動から６０分以内であるか否かを判定し（Ｓ４７）、起動から６０分以内である場合（Ｓ４７でＹＥＳ）、感知オンであるか否かを判定する（Ｓ４８）。すなわち、起動から６０分以内にマグネット又は磁性体をリードスイッチ５１に近づける操作が行われたか否かを判定する。
【００６３】
感知オンである場合（Ｓ４８でＹＥＳ）、マイクロコンピュータ５４は、感知オンの状態が１秒（時間Ｔ２）以上であるか否かを判定する（Ｓ４９）。すなわち、マグネット又は磁性体をリードスイッチ５１に近づけた状態が１秒以上であるか否かを判定する。
【００６４】
感知オンの状態が１秒以上である場合（Ｓ４９でＹＥＳ）、マイクロコンピュータ５４は、ステップＳ３１以降の処理を繰り返す。これにより、起動から６０分以内であれば、マグネット又は磁性体をリードスイッチ５１に近づける操作を行う都度、調光値を１００％、８０％、７０％、１００％の順番で切り替えることができる。
【００６５】
ステップＳ４８で感知オンでない場合（Ｓ４８でＮＯ）、又はステップＳ４９で感知オンの状態が１秒以上でない場合（Ｓ４９でＮＯ）、マイクロコンピュータ５４は、ステップＳ４７以降の処理を続ける。また、ステップＳ４７で起動から６０分以内でない場合（Ｓ４７でＮＯ）、マイクロコンピュータ５４は、光出力切替モードから抜け出し、以降は、マグネット又は磁性体をリードスイッチ５１に近づける操作を行ったとしても、調光値の切替は行われない。
【００６６】
図１１は本実施の形態の照明装置１００の光出力切替モードの一例を示すタイムチャートである。図１１の上段のチャートは、感知オン又は感知オフの状態の遷移を示す。図１１の下段のチャートは、光出力の遷移を示す。図１１において、時間Ｔ１、Ｔ２は、それぞれ４秒、１秒である。また、時間Ｔ３、Ｔ４は、それぞれ１秒及び２秒であるが、時間Ｔ１〜Ｔ４はこれらの時間に限定されるものではない。
【００６７】
図１１に示すように、マグネット又は磁性体をリードスイッチ５１に近づけた後遠ざける操作を繰り返すことにより、補正値を仮に０％とした場合、ＬＥＤ電流値を１００％、８０％、７０％、１００％の順番で切り替えることができる。
【００６８】
図１１に示すように、感知オフから感知オンへの移行を検出し、感知オンの状態が時間Ｔ１を超えた時点でＬＥＤモジュール１０は時間Ｔ３の間消灯し、１００％から８０％調光状態に切り替わる。なお、当初の調光状態が１００％ではなく、例えば、８０％である場合には、７０％調光状態に切り替わり、また、当初の調光状態が７０％である場合には、１００％調光状態に切り替わる。なお、本実施の形態では、光出力が１００％の場合を１００％調光状態とも称し、また光出力が８０％、７０％の場合を、それぞれ８０％調光状態、７０％調光状態とも称する。
【００６９】
次に、感知オフから感知オンへの移行を検出し、感知オンの状態が時間Ｔ２を超えた時点でＬＥＤモジュール１０は時間Ｔ３の間消灯し、８０％から７０％調光状態に切り替わる。さらに、感知オフから感知オンへの移行を検出し、感知オンの状態が時間Ｔ２を超えた時点でＬＥＤモジュール１０は時間Ｔ４の間点滅し、７０％から１００％調光状態に切り替わる。以降、感知オンを検出する都度、同様の処理を順番に行う。
【００７０】
上述のとおり、磁性体を感知する磁気検出回路５７、磁気検出回路５７で感知した感知結果に基づいて、ＬＥＤモジュール１０のＬＥＤ電流値、すなわち光出力を切り替えるべく出力回路７０を制御するマイクロコンピュータ５４などを備えることにより、照明装置の外部から容易にアクセスできる箇所にスイッチ等を設ける必要がなく、単にマグネット又は磁性体を照明装置１００の所定の箇所（リードスイッチ５１が設けられた位置）に近づけ、かつ遠ざける操作を行うだけで、照明装置１００の光出力を切り替えることができ、光出力の設定を容易に行うことができる。
【００７１】
また、外部から物理的に接触できるスイッチ等が不要であるので、何者かにスイッチを操作され、誤った設定値にセットされるおそれもない。また、照明装置１００を屋外で使用する場合でも、スイッチ取付部分の防水機能を追加する必要もない。
【００７２】
また、マイクロコンピュータ５４は、磁気検出回路５７でマグネット又は磁性体を感知する都度、複数の異なる光出力に順番に切り替えるので、照明装置１００の光出力を容易に切り替えることができる。
【００７３】
また、マイクロコンピュータ５４は、ＬＥＤモジュール１０の光出力を切り替える場合、ＬＥＤモジュール１０を比較的短時間消灯させるので、外部から照明装置１００の光出力が切り替わったことを容易に認識することができる。ＬＥＤモジュール１０の輝度が高い場合、特に調光値が１００％と８０％、あるいは８０％と７０％との間では、人間の目で光出力の切り替わりを判別することが困難であるが、短時間消灯させることにより、容易に判別することができる。
【００７４】
また、マイクロコンピュータ５４は、所定の光出力へ切り替えた場合と、当該所定の光出力と異なる他の光出力へ切り替えた場合とで報知手段が異なるようにしてある。例えば、切替後の所定の光出力は、調光値が１００％であり、他の光出力は、調光値が８０％及び７０％である。上述のとおり、調光値を８０％又は７０％に切り替える場合は、報知手段として１秒間の消灯により報知し、調光値を１００％に切り替える場合は、報知手段として２秒間の点滅により報知する。これにより、所定の光出力にリセットすることを他の光出力と区別して容易に認識することができる。
【００７５】
また、マイクロコンピュータ５４は、起動した時点からの経過時間が所定時間（例えば、６０分）内である場合のみ、感知結果に基づいてＬＥＤモジュール１０の光出力を切り替える制御行う。すなわち、マイクロコンピュータ５４は、起動した時点からの経過時間が所定時間（例えば、６０分）を超えた場合、磁気検出回路５７を停止して感知結果をマイクロコンピュータ５４へ出力しないようにすることにより、光出力の切り替え制御を行わない。あるいは、マイクロコンピュータ５４は、起動した時点からの経過時間が所定時間（例えば、６０分）を超えた場合、磁気検出回路５７が出力する感知結果を取得するものの、取得した感知結果を無効とすることにより、感知結果によらず光出力の切り替え制御を行わない。これにより、起動から６０分を経過した場合には、調光状態切替モードに移行しないので、照明装置１００を設置した後の使用中においては、何者かが照明装置１００の明るさを変更することができず、いたずら等を防止することができる。なお、感知結果を無効とするとは、例えば、得られた感知結果を使用しないこと、感知動作そのものを行わないことを含む。
【００７６】
上述の実施の形態において、光出力の切り替わりをＬＥＤモジュール１０の消灯又は点滅で報知する構成であったが、これに限定されるものではなく、ＬＥＤモジュール１０とは別にインジケータ（ＬＥＤ）を設けておき、インジケータの点灯、点滅により光出力の切り替わりを報知するようにしてもよい。
【００７７】
また、上述の実施の形態において、調光値は、１００％、８０％、７０％の３通りであるが、これに限定されるものではなく、他の調光値を用いることもでき、４通り以上の調光値を用いてもよい。
【００７８】
次に、照明装置１００を出荷する前の製造工程における動作について説明する。
【００７９】
図６に示すように、製造工程では、製造治具として第１スイッチ５５及び第２スイッチ５６をそれぞれマイクロコンピュータ５４の端子Ｍ９及びＭ１０に接続する。なお、照明装置１００の出荷時には、第１スイッチ５５及び第２スイッチ５６は取り外されている。以下では、照明装置１００の工程モードへの移行処理、ＬＥＤ電流値の確認処理、補正値の設定処理の順序で説明する。
【００８０】
図１２は本実施の形態の照明装置１００の工程モードへの移行処理の手順を示すフローチャートである。マイクロコンピュータ５４は、メモリに記憶した調光値及び補正値を読み出す（Ｓ１０１）。マイクロコンピュータ５４は、ＬＥＤ電流値を設定し（Ｓ１０２）、設定したＬＥＤ電流値でＬＥＤモジュール１０を点灯する（Ｓ１０３）。ＬＥＤ電流値は、調光値×（１００＋補正値）／１００で求めることができる。
【００８１】
マイクロコンピュータ５４は、起動した時点からの経過時間を計時し、起動から６０分以内であるか否かを判定する（Ｓ１０４）。起動から６０分以内である場合（Ｓ１０４でＹＥＳ）、マイクロコンピュータ５４は、第１スイッチ５５がオンであるか否かを判定する（Ｓ１０５）。
【００８２】
第１スイッチ５５がオンである場合（Ｓ１０５でＹＥＳ）、マイクロコンピュータ５４は、オンの状態が２秒（時間Ｔ１１）以上であるか否かを判定する（Ｓ１０６）。第１スイッチ５５がオンの状態が２秒以上である場合（Ｓ１０６でＹＥＳ）、マイクロコンピュータ５４は、後述の工程モードに移行し（Ｓ１０７）、電流確認モード０に移行する。
【００８３】
マイクロコンピュータ５４は、ＬＥＤモジュール１０を０．２秒間消灯し（Ｓ１０８）、再点灯し（Ｓ１０９）、工程モードへの移行処理を終了する。
【００８４】
ステップＳ１０５で第１スイッチ５５がオンでない場合（Ｓ１０５でＮＯ）、又はステップＳ１０６でオンの状態が２秒以上でない場合（Ｓ１０６でＮＯ）、マイクロコンピュータ５４は、ステップＳ１０４以降の処理を続ける。また、ステップＳ１０４で起動から６０分以内でない場合（Ｓ１０４でＮＯ）、マイクロコンピュータ５４は、工程モードに移行することなく処理を終了する。
【００８５】
図１３及び図１４は本実施の形態の照明装置１００のＬＥＤ電流値の確認処理の手順を示すフローチャートである。図１３及び図１４に例示する処理は、工程モードにおける処理である。マイクロコンピュータ５４は、第１スイッチ５５がオンであるか否かを判定し（Ｓ１２１）、第１スイッチ５５がオンである場合（Ｓ１２１でＹＥＳ）、オンの状態が０．２秒（Ｔ１２）以上であるか否かを判定する（Ｓ１２２）。
【００８６】
オンの状態が０．２秒以上である場合（Ｓ１２２でＹＥＳ）、マイクロコンピュータ５４は、電流確認モードが０であるか否かを判定する（Ｓ１２３）。
【００８７】
電流確認モード０は、調光値１００％でＬＥＤモジュール１０を点灯させるモードであり、電流確認モード１は、調光値８０％でＬＥＤモジュール１０を点灯させるモードであり、電流確認モード２は、調光値７０％でＬＥＤモジュール１０を点灯させるモードである。
【００８８】
電流確認モードが０である場合（Ｓ１２３でＹＥＳ）、マイクロコンピュータ５４は、ＬＥＤモジュール１０を０．２秒間（時間Ｔ１３）消灯し（Ｓ１２４）、調光値１００％でＬＥＤモジュール１０を点灯し（Ｓ１２５）、電流確認モード１に移行する（Ｓ１２６）。なお、調光値をメモリの書込む処理は行わない。
【００８９】
電流確認モードが０でない場合（Ｓ１２３でＮＯ）、マイクロコンピュータ５４は、電流確認モードが１であるか否かを判定する（Ｓ１２７）。電流確認モードが１である場合（Ｓ１２７でＹＥＳ）、マイクロコンピュータ５４は、ＬＥＤモジュール１０を０．２秒間（時間Ｔ１３）消灯し（Ｓ１２８）、調光値８０％でＬＥＤモジュール１０を点灯し（Ｓ１２９）、電流確認モード２に移行する（Ｓ１３０）。なお、調光値をメモリの書込む処理は行わない。
【００９０】
電流確認モードが１でない場合（Ｓ１２７でＮＯ）、マイクロコンピュータ５４は、電流確認モードが２であるか否かを判定する（Ｓ１３１）。電流確認モードが２である場合（Ｓ１３１でＹＥＳ）、マイクロコンピュータ５４は、ＬＥＤモジュール１０を０．２秒間（時間Ｔ１３）消灯し（Ｓ１３２）、調光値７０％でＬＥＤモジュール１０を点灯し（Ｓ１３３）、電流確認モード０に移行する（Ｓ１３４）。なお、調光値をメモリの書込む処理は行わない。
【００９１】
電流確認モードが２でない場合（Ｓ１３１でＮＯ）、マイクロコンピュータ５４は、ＬＥＤモジュール１０を０．２秒間（時間Ｔ１３）消灯し（Ｓ１３５）、調光値１００％でＬＥＤモジュール１０を点灯し（Ｓ１３６）、電流確認モード１に移行する（Ｓ１３７）。なお、調光値をメモリの書込む処理は行わない。
【００９２】
マイクロコンピュータ５４は、起動から６０分経過したか否かを判定し（Ｓ１３８）、起動から６０分経過していない場合（Ｓ１３８でＮＯ）、ステップＳ１２１以降の処理を繰り返す。
【００９３】
起動から６０分経過した場合（Ｓ１３８でＹＥＳ）、マイクロコンピュータ５４は、処理を終了する。ステップＳ１２１で第１スイッチ５５がオンでない場合（Ｓ１２１でＮＯ）、又はステップＳ１２２でオンの状態が０．２秒以上でない場合（Ｓ１２２でＮＯ）、マイクロコンピュータ５４は、ステップＳ１３８の処理を行う。
【００９４】
図１５は本実施の形態の照明装置１００のＬＥＤ電流値の確認処理の一例を示すタイムチャートである。図１５の上段のチャートは、第１スイッチ５５のオン又はオフの状態の遷移を示す。図１５の下段のチャートは、調光状態及び消灯状態の遷移を示す。図１５において、時間Ｔ１１、Ｔ１２、Ｔ１３は、それぞれ２秒、０．２秒、０．２秒であるが、時間Ｔ１１〜Ｔ１３はこれらの時間に限定されるものではない。
【００９５】
図１５に示すように、第１スイッチ５５をＴ１１時間以上オン状態にすることにより、仮に補正値を０％とした場合、ＬＥＤ電流値を１００％、８０％、７０％、１００％の順番で切り替えることができる。
【００９６】
図１５に示すように、第１スイッチ５５をＴ１１時間以上オン状態にすることにより、工程モードに移行する。工程モードに移行した後は、第１スイッチ５５がオフ状態からオン状態になるのを検出し、オン状態がＴ１２時間を超えた時点でＬＥＤモジュール１０は時間Ｔ１３の間消灯し、当初の調光状態が１００％、８０％又は７０％のいずれの状態であっても、一旦１００％調光状態に切り替わる。次に、第１スイッチ５５がオフ状態からオン状態になるのを検出し、オン状態がＴ１２時間を超えた時点でＬＥＤモジュール１０は時間Ｔ１３の間消灯し、調光状態は１００％から８０％に切り替わる。
【００９７】
次に、第１スイッチ５５がオフ状態からオン状態になるのを検出し、オン状態がＴ１２時間を超えた時点でＬＥＤモジュール１０は時間Ｔ１３の間消灯し、調光状態は８０％から７０％に切り替わる。さらに、第１スイッチ５５がオフ状態からオン状態になるのを検出し、オン状態がＴ１２時間を超えた時点でＬＥＤモジュール１０は時間Ｔ１３の間消灯し、調光状態は７０％から１００％に切り替わる。以降、第１スイッチ５５のオン状態を検出する都度、同様の処理を順番に行う。
【００９８】
図１６及び図１７は本実施の形態の照明装置１００の補正値の設定処理の手順を示すフローチャートである。図１６及び図１７に例示する処理は、工程モードにおける処理である。マイクロコンピュータ５４は、第２スイッチ５６がオンであるか否かを判定し（Ｓ１５１）、第２スイッチ５６がオンである場合（Ｓ１５１でＹＥＳ）、オンの状態が０．２秒（Ｔ１２）以上であるか否かを判定する（Ｓ１５２）。
【００９９】
オンの状態が０．２秒以上である場合（Ｓ１５２でＹＥＳ）、マイクロコンピュータ５４は、電流補正モードが０であるか否かを判定する（Ｓ１５３）。
【０１００】
電流補正モード０は、補正値を−５％とするモードであり、電流補正モード１は、補正値を＋５％とするモードであり、電流補正モード２は、補正値を０％とするモードである。
【０１０１】
電流補正モードが０である場合（Ｓ１５３でＹＥＳ）、マイクロコンピュータ５４は、ＬＥＤモジュール１０を０．２秒間（時間Ｔ１３）消灯し（Ｓ１５４）、メモリに補正値−５％を記憶し（Ｓ１５６）、メモリに書込みありのフラグをセットする。マイクロコンピュータ５４は、補正したＬＥＤ電流値でＬＥＤモジュール１０を点灯し（Ｓ１５７）、電流補正モード１に移行する（Ｓ１５８）。
【０１０２】
電流補正モードが０でない場合（Ｓ１５３でＮＯ）、マイクロコンピュータ５４は、電流補正モードが１であるか否かを判定する（Ｓ１５９）。電流補正モードが１である場合（Ｓ１５９でＹＥＳ）、マイクロコンピュータ５４は、ＬＥＤモジュール１０を０．２秒間（時間Ｔ１３）消灯し（Ｓ１６０）、メモリに補正値＋５％を記憶し（Ｓ１６１）、メモリに書込みありのフラグをセットする。マイクロコンピュータ５４は、補正したＬＥＤ電流値でＬＥＤモジュール１０を点灯し（Ｓ１６２）、電流補正モード２に移行する（Ｓ１６３）。
【０１０３】
電流補正モードが１でない場合（Ｓ１５９でＮＯ）、マイクロコンピュータ５４は、電流補正モードが２であるか否かを判定する（Ｓ１６４）。電流補正モードが２である場合（Ｓ１６４でＹＥＳ）、マイクロコンピュータ５４は、ＬＥＤモジュール１０を０．２秒間（時間Ｔ１３）消灯し（Ｓ１６５）、メモリに補正値０％を記憶し（Ｓ１６６）、メモリに書込みありのフラグをセットする。マイクロコンピュータ５４は、補正なしのＬＥＤ電流値でＬＥＤモジュール１０を点灯し（Ｓ１６７）、電流補正モード０に移行する（Ｓ１６８）。
【０１０４】
電流補正モードが２でない場合（Ｓ１６４でＮＯ）、マイクロコンピュータ５４は、ＬＥＤモジュール１０を０．２秒間（時間Ｔ１３）消灯し（Ｓ１６９）、メモリに補正値０％を記憶し（Ｓ１７０）、メモリに書込みありのフラグをセットする。マイクロコンピュータ５４は、補正なしのＬＥＤ電流値でＬＥＤモジュール１０を点灯し（Ｓ１７１）、電流補正モード０に移行する（Ｓ１７２）。
【０１０５】
マイクロコンピュータ５４は、起動から６０分経過したか否かを判定し（Ｓ１７３）、起動から６０分経過していない場合（Ｓ１７３でＮＯ）、ステップＳ１５１以降の処理を繰り返す。
【０１０６】
起動から６０分経過した場合（Ｓ１７３でＹＥＳ）、マイクロコンピュータ５４は、処理を終了する。ステップＳ１５１で第２スイッチ５６がオンでない場合（Ｓ１５１でＮＯ）、又はステップＳ１５２でオンの状態が０．２秒以上でない場合（Ｓ１５２でＮＯ）、マイクロコンピュータ５４は、ステップＳ１７３の処理を行う。
【０１０７】
図１８は本実施の形態の照明装置１００の補正値の設定処理の一例を示すタイムチャートである。図１８の上段のチャートは、第１スイッチ５５及び第２スイッチ５６のオン又はオフの状態の遷移を示す。図１８の下段のチャートは、補正値の遷移を示す。図１８において、時間Ｔ１１、Ｔ１２、Ｔ１３は、それぞれ２秒、０．２秒、０．２秒であるが、時間Ｔ１１〜Ｔ１３はこれらの時間に限定されるものではない。
【０１０８】
図１８に示すように、第１スイッチ５５をＴ１１時間以上オン状態にすることにより、図１５に例示した場合と同様に工程モードに移行する。また、工程モードに移行した後、第２スイッチ５６をＴ１２時間以上オン状態にすることにより、補正値を−５％、＋５％、０％、−５％の順序で切り替えることができる。
【０１０９】
図１８に示すように、工程モードに移行した後は、第２スイッチ５６がオフ状態からオン状態になるのを検出し、オン状態がＴ１２時間を超えた時点でＬＥＤモジュール１０は時間Ｔ１３の間消灯し、当初の補正値０％を補正値−５％に切り替える。なお、図１８の例では、当初の補正値を０％としているが、当初の補正値は−５％でもよく、あるいは＋５％でもよい。当初の補正値が−５％であれば＋５％に切り替え、当初の補正値が＋５％であれば０％に切り替える。
【０１１０】
次に、第２スイッチ５６がオフ状態からオン状態になるのを検出し、オン状態がＴ１２時間を超えた時点でＬＥＤモジュール１０は時間Ｔ１３の間消灯し、補正値−５％を補正値＋５％に切り替える。さらに、第２スイッチ５６がオフ状態からオン状態になるのを検出し、オン状態がＴ１２時間を超えた時点でＬＥＤモジュール１０は時間Ｔ１３の間消灯し、補正値＋５％を補正値０％に切り替える。以降、第２スイッチ５６のオン状態を検出する都度、同様の処理を順番に行う。
【０１１１】
上述のように、第２スイッチ５６を所定のＴ１２時間以上オン状態にしてオン／オフ動作を繰り返すことにより、照明装置１００のメモリ内に所望の補正値を記憶させることができる。すなわち、図１５に例示するＬＥＤ電流値の確認処理において、照明装置１００を所要の調光値で点灯させて、ＬＥＤモジュール１０に流れる電流を測定する。測定した電流が少ない場合には、図１８に例示する補正値の設定処理で、例えば、補正値を＋５％に設定してＬＥＤモジュール１０に流れる電流を増やす。同様に、照明装置１００を所要の調光値で点灯させて、ＬＥＤモジュール１０に流れる電流を測定し、測定した電流が多い場合には、図１８に例示する補正値の設定処理で、例えば、補正値を−５％に設定してＬＥＤモジュール１０に流れる電流を減らす。これにより、ＬＥＤモジュール１０の電気的又は光学的特性のバラツキ、あるいは出力回路７０を構成する電子部品又は電気部品のバラツキ等により、ＬＥＤモジュール１０に流れる電流値が許容範囲外になった場合でも、補正値を調整してＬＥＤモジュール１０に流れる電流値を許容範囲内にすることができる。また、従来のように、例えば、可変抵抗などの電気部品を用いてバラツキを許容範囲内に抑える必要もない。本実施の形態では、可変抵抗などの電気部品を使用することなく、マイクロコンピュータ５４内のメモリに所望の補正値を記憶することができる。
【符号の説明】
【０１１２】
１０  ＬＥＤモジュール
５０  電源部
５１  リードスイッチ
５４  マイクロコンピュータ
５７  磁気検出回路
６０  力率改善回路
７０  出力回路
【図１】
2014123470.tif 000003
【図２】
2014123470.tif 000004
【図３】
2014123470.tif 000005
【図４】
2014123470.tif 000006
【図５】
2014123470.tif 000007
【図６】
2014123470.tif 000008
【図７】
2014123470.tif 000009
【図８】
2014123470.tif 000010
【図９】
2014123470.tif 000011
【図１０】
2014123470.tif 000012
【図１１】
2014123470.tif 000013
【図１２】
2014123470.tif 000014
【図１３】
2014123470.tif 000015
【図１４】
2014123470.tif 000016
【図１５】
2014123470.tif 000017
【図１６】
2014123470.tif 000018
【図１７】
2014123470.tif 000019
【図１８】
2014123470.tif 000020